(57)【要約】【課題】建物本体の外壁から張り出るバルコニーの水平耐力を向上すること。【解決手段】建物本体の外壁からバルコニー２０の床２０Ａを張り出し、床２０Ａの張出し部の下部を袖壁３０により支持してなるバルコニー２０において、袖壁３０の下端と基礎４０をホールダウン金具５０により接合するとともに、袖壁３０の上端と床２０Ａをジョイント金具６０により接合するもの。【選択図】  図１
2004360230.tif 000002
【特許請求の範囲】
【請求項１】
建物本体の外壁からバルコニーの床を張り出し、床の張出し部の下部を袖壁により支持してなるバルコニーにおいて、
袖壁の下端と基礎を金具により接合するとともに、袖壁の上端と床を金具により接合することを特徴とするバルコニー。
【請求項２】
請求項１に記載のバルコニーの施工方法であって、
ユニット化されているバルコニーにおける床パネルの軒天井材が貼られていない軒天井開放部を用いて、該床パネルと袖壁の上端との金具による接合を行ない、その接合作業後に該軒天井開放部に軒天井材を貼るバルコニーの施工方法。
【請求項３】
前記袖壁がパネル化されており、壁面材が貼られていない壁面開放部を用いて、該袖壁パネルの下端と基礎との金具による接合を行ない、その接合作業後に該壁面開放部に壁面材を貼る請求項２に記載のバルコニーの施工方法。
【発明の詳細な説明】
【０００１】
【発明の属する技術分野】
本発明はバルコニーに関する。
【０００２】
【従来の技術】
バルコニーとして、特許文献１に記載の如く、建物本体の外壁からバルコニーの床を張り出し、床の張出し部の下部を袖壁により支持してなるものがある。
【０００３】
【特許文献１】
特開平６−１５８７０８（１頁、図１）
【０００４】
【発明が解決しようとする課題】
特許文献１の従来技術において、バルコニーに作用する鉛直力は袖壁と建物本体にて負担するものの、水平力は建物本体だけで負担するものとしている。バルコニーが大型化すると、水平力も大きくなり、バルコニーの水平耐力の向上が必要とされる。
【０００５】
本発明の課題は、建物本体の外壁から張り出るバルコニーの水平耐力を向上することにある。
【０００６】
【課題を解決するための手段】
請求項１の発明は、建物本体の外壁からバルコニーの床を張り出し、床の張出し部の下部を袖壁により支持してなるバルコニーにおいて、袖壁の下端と基礎を金具により接合するとともに、袖壁の上端と床を金具により接合するようにしたものである。
【０００７】
請求項２の発明は、請求項１に記載のバルコニーの施工方法であって、ユニット化されているバルコニーにおける床パネルの軒天井材が貼られていない軒天井開放部を用いて、該床パネルと袖壁の上端との金具による接合を行ない、その接合作業後に該軒天井開放部に軒天井材を貼るようにしたものである。
【０００８】
請求項３の発明は、請求項２の発明において更に、前記袖壁がパネル化されており、壁面材が貼られていない壁面開放部を用いて、該袖壁パネルの下端と基礎との金具による接合を行ない、その接合作業後に該壁面開放部に壁面材を貼るようにしたものである。
【０００９】
【作用】
請求項１の発明によれば下記▲１▼の作用がある。
▲１▼袖壁を基礎と金具で接合し、袖壁の水平変位が抑制される。バルコニーの床をこの袖壁に金具で接合することにより、バルコニーに作用する水平力の少なくとも一部を袖壁にて負担できる。従って、建物本体の負担を大きくすることなく、大面積のバルコニーを設けることができる。
【００１０】
請求項２の発明によれば下記▲２▼の作用がある。
▲２▼バルコニーをユニット化することにて、バルコニーの工場生産化率を高め、現地施工工数を削減できる。このとき、バルコニーユニットにおける床パネルの軒天井開放部を用いて金具による接合作業を行ない、その接合作業後に該軒天井開放部に軒天井材を貼ることにより、床パネルの内部への金具の施工性を向上できる。
【００１１】
請求項３の発明によれば下記▲３▼の作用がある。
▲３▼袖壁をパネル化することにて、袖壁の工場生産化率を高め、現地施工工数を削減できる。このとき、袖壁パネルにおける壁面開放部を用いて金具による接合作業を行ない、その接合作業後に該壁面開放部に壁面材を貼ることにより、袖壁パネルの内部への金具の施工性を向上できる。
【００１２】
【発明の実施の形態】
図１はバルコニー付建物を示す斜視図、図２は袖壁と基礎の接合構造を示す断面図、図３は袖壁とバルコニーの床の接合構造を示す断面図、図４はジョイント金具の要部を示す正面図である。
【００１３】
図１は、ユニット建物１０は、基礎１の上に複数の建物ユニット１１を据付けて構築されたものであり、２階の建物ユニット１１（建物本体）にバルコニー２０の基端部を取着し、このバルコニー２０の床２０Ａを建物ユニット１１の外壁１２から張り出し、床２０Ａの張出し部の下部を袖壁３０により支持している。袖壁３０は基礎４０の上に立設してある。
【００１４】
建物ユニット１１は、工場生産された、箱形の骨組構造体からなる。
バルコニー２０は、工場生産されたバルコニーユニット２１からなる。バルコニーユニット２１は、床パネル２２の建物ユニット１１に対する接合辺を除く３辺に手摺壁パネル２３を立設して構成される。床パネル２２が床２０Ａを構成する。
【００１５】
バルコニーユニット２１の床パネル２２は、図３に示す如く、側根太２２Ａと端根太２２Ｂを接合した床枠組の下面に頭つなぎ２２Ｃを取着し、該床枠組の上面に床面材２２Ｄを貼着し、頭つなぎ２２Ｃの下面に軒天井材２２Ｅを貼着して構成される。床面材２２Ｄの上面には、防水シート、防水金属板等が設けられる。
【００１６】
バルコニーユニット２１の手摺壁パネル２３は、図３に示す如く、上枠（不図示）と下枠２３Ａと縦枠２３Ｂを接合した手摺壁枠組の両外側面に、手摺壁面材２３Ｃ、２３Ｄを貼着して構成される。
【００１７】
バルコニーユニット２１の床パネル２２において、後述するジョイント金具６０が施工される頭つなぎ２２Ｃの側傍には、軒天井材２２Ｅが貼られない軒天井開放部２４が形成される。
【００１８】
袖壁３０は、工場生産された袖壁パネル３１からなる。袖壁パネル３１は、図２、図３に示す如く、上枠３１Ａと下枠３１Ｂと縦枠３１Ｃを接合した壁枠組の外側面に壁面材３１Ｄを貼着して構成される。
【００１９】
袖壁パネル３１において、後述するホールダウン金具５０が施される縦枠３１Ｃの側傍には、壁面材３１Ｄが貼られない壁面開放部３２が形成される。
【００２０】
袖壁３０（袖壁パネル３１）の下端と基礎４０はホールダウン金具５０を用いて以下の如くに接合される。ホールダウン金具５０は、図２に示す如く、袖壁パネル３１の両外側の縦枠３１Ｃの壁内空間に臨む側面に添設される側板５１と、側板５１の下端部に溶接される台座５２と、側板５１と台座５２に溶接される補強板５３とを備える。
【００２１】
（１）袖壁パネル３１の工場生産段階で、縦枠３１Ｃの側面にホールダウン金具５０の側板５１を固定ボルト５４により固定する。袖壁パネル３１の壁枠組の外側面には壁面材３１Ｄが貼着されるが、ホールダウン金具５０が施工された縦枠３１Ｃの側傍は前述の壁面開放部３２とされる。
【００２２】
（２）建築現場で、袖壁パネル３１を基礎４０の上に立設する。基礎４０のアンカーボルト４１を、袖壁パネル３１の下枠３１Ｂに設けてあるボルト孔３３に通し、更にホールダウン金具５０の台座５２に設けてあるボルト孔５２Ａに通す。台座５２のボルト孔５２Ａに通したアンカーボルト４１の先端側にナット４２を螺合し、袖壁パネル３１の下枠３１Ｂと基礎４０を接合する。この接合作業は、袖壁パネル３１の壁面開放部３２を用いて行なう。
【００２３】
（３）上述（２）の接合作業後、袖壁パネル３１の壁面開放部３２に壁面材３１Ｄを貼着する。
【００２４】
袖壁３０（袖壁パネル３１）の上端とバルコニー２０（バルコニーユニット２１）の床２０Ａ（床パネル２２）は鋳造製のジョイント金具６０を用いて以下の如くに接合される。ジョイント金具６０は、図３、図４に示す如く、袖壁パネル３１の上枠３１Ａとバルコニーユニット２１の床パネル２２の頭つなぎ２２Ｃに挟まれる座金部６１の両側にボルト部６２、６３を備え、頭つなぎ２２Ｃに係合してボルト部６２の回動を阻止するくさび爪６４及び粗面６５を座金部６１の少なくとも一方の面に鋳造にて形成される。
【００２５】
（１）袖壁パネル３１の工場生産段階で、上枠３１Ａに設けてあるボルト孔３４にジョイント金具６０のボルト部６３を通し、ボルト孔３４に通したボルト部６３の先端側にナット６６を螺合し、袖壁パネル３１の上枠３１Ａにジョイント金具６０を固定する。袖壁パネル３１において、ジョイント金具６０を挟む、壁枠組の外側面には壁面材３１Ｄが貼着される。
【００２６】
（２）建築現場で、バルコニーユニット２１の床パネル２２を袖壁パネル３１の上に支持する。袖壁パネル３１の上枠３１Ａに設けてあるジョイント金具６０のボルト部６２を、バルコニーユニット２１の床パネル２２の頭つなぎ２２Ｃに設けてあるボルト孔２５に通し、ボルト孔２５に通したボルト部６２の先端側にナット６７を螺合し、袖壁パネル３１の上枠３１Ａとバルコニーユニット２１の床パネル２２を接合する。この接合作業は、バルコニーユニット２１の軒天井開放部２４を用いて行なう。
【００２７】
（３）上述（２）の接合作業後、バルコニーユニット２１の軒天井開放部２４に軒天井材２２Ｅを貼着する。
【００２８】
本実施形態によれば、以下の作用を奏する。
▲１▼袖壁３０を基礎４０とホールダウン金具５０で接合し、袖壁３０の水平変位が抑制される。バルコニー２０の床をこの袖壁３０に金具で接合することにより、バルコニー２０に作用する水平力の少なくとも一部を袖壁３０にて負担できる。従って、建物本体の負担を大きくすることなく、大面積のバルコニー２０を設けることができる。
【００２９】
▲２▼バルコニー２０をユニット化することにて、バルコニー２０の工場生産化率を高め、現地施工工数を削減できる。このとき、バルコニーユニット２１における床パネル２２の軒天井開放部２４を用いてホールダウン金具５０による接合作業を行ない、その接合作業後に該軒天井開放部２４に軒天井材２２Ｅを貼ることにより、床パネル２２の内部へのホールダウン金具５０の施工性を向上できる。
【００３０】
▲３▼袖壁３０をパネル化することにて、袖壁３０の工場生産化率を高め、現地施工工数を削減できる。このとき、袖壁パネル３１における壁面開放部３２を用いてジョイント金具６０による接合作業を行ない、その接合作業後に該壁面開放部３２に壁面材３１Ｄを貼ることにより、袖壁パネル３１の内部へのジョイント金具６０の施工性を向上できる。
【００３１】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、バルコニーの床の一部を下階建物の支持するものでも良い。また、建物はユニット建物に限らず、広く一般の建物であっても良い。また、バルコニーはユニット化されたものに限らない。また、袖壁はパネル化されたものに限らない。
【００３２】
【発明の効果】
本発明によれば、建物本体の外壁から張り出るバルコニーの水平耐力を向上することができる。
【図面の簡単な説明】
【図１】図１はバルコニー付建物を示す斜視図である。
【図２】図２は袖壁と基礎の接合構造を示す断面図である。
【図３】図３は袖壁とバルコニーの床の接合構造を示す断面図である。
【図４】図４はジョイント金具の要部を示す正面図である。
【符号の説明】
１１  建物ユニット（建物本体）
１２  外壁
２０  バルコニー
２０Ａ  床
２１  バルコニーユニット
２２  床パネル
２２Ｅ  軒天井材
２４  軒天井開放部
３０  袖壁
３１  袖壁パネル
３１Ｄ  壁面材
３２  壁面開放部
４０  基礎
５０  ホールダウン金具
６０  ジョイント金具
【図１】
2004360230.tif 000003
【図２】
2004360230.tif 000004
【図３】
2004360230.tif 000005
【図４】
2004360230.tif 000006